(57)【特許請求の範囲】
【請求項１】
複数のアクセス端末と１つのトランスポートネットワークとの間の光情報トランスポートを多重化する方法であって、
前記アクセス端末のそれぞれのグループに対する情報を各グループのためのライトガイドを通じて伝送する光をトランスポートするステップを含み、各グループ内の相異なる端末に対する情報は、そのグループのためのライトガイド内で、光の相異なるタイムスロットおよび相異なる通信波長にわたり光学的に多重化されており、さらに、
前記トランスポートネットワークから前記ライトガイドへ情報を渡す送信機と前記ライトガイドから前記トランスポートネットワークへ情報を渡す受信機とを含むトランシーバを通じて、前記ライトガイドと前記トランスポートネットワークとの間で情報を送受信するステップと、
前記トランシーバの使用を多重化するステップとを含み、前記トランシーバの各々は、相異なるタイムスロットにおいて選択可能な通信波長で、選択可能なライトガイドに対する情報を送受信するものであり、そして、
用いるトランシーバの数は用いるライトガイドの数より少ないことを特徴とする方法。
【請求項２】
前記ライトガイドを、前記トランシーバのぞれぞれに対応するそれぞれのクロスコネクト入出力へ、動的に相互接続するステップと、
前記トランシーバの各々に対するそれぞれの通信波長を動的に選択し、トランシーバの入出力ポートの間で送受信される光から、選択された波長以外の波長の光成分をフィルタリングして除去するステップとを含むことを特徴とする請求項１に記載の方法。
【請求項３】
トランスポートネットワークと、
複数のアクセス端末と、
複数のライトガイドとを有し、前記ライトガイドの各々は、前記アクセス端末のグループのそれぞれを前記トランスポートネットワークに結合し、そして前記トランスポートネットワークと各グループ内の相異なるアクセス端末との間で情報を光学的に波長多重された信号として運搬するよう構成されており、さらに、
前記ライトガイドと前記トランスポートネットワークとの間にある複数のトランシーバを有し、前記トランシーバの各々は、前記トランスポートネットワークから前記ライトガイドへ情報を渡す送信機と前記ライトガイドから前記トランスポートネットワークへ情報を渡す受信機とを含み、さらに、
前記ライトガイドと前記トランシーバとの間にある相互接続ユニットを有し、前記相互接続ユニットは、前記ライトガイドの各々とそれぞれの選択可能なトランシーバの組合せとの間の光トランスポートのための選択可能なアクティブな結合を行うように構成され、前記ライトガイドのいずれか１つと相異なる前記トランシーバのそれぞれとの間を同時にアクティブに結合することが可能であり、その前記ライトガイドのいずれか１つとアクティブに結合されたトランシーバの各々との間の結合は、それぞれ選択可能な通信波長で行われ、そして、
前記アクセス端末のトランスポート容量要求に基づいて選択的に、結合を動的にアクティブにする制御ユニットとを有し、
前記トランシーバのＬ個は前記ライトガイドのＮ本からのみ情報を受信し、そして前記Ｎ本のライトガイドは前記Ｌ個のトランシーバへのみ情報を渡すものであり、前記Ｌは前記Ｎより小さいことを特徴とする通信ネットワーク。
【請求項４】
前記相互接続ユニットは、
前記ライトガイドの各々とそれぞれの選択可能な接続の組合せとの間の光トランスポートのための選択可能なアクティブな結合を行うように構成された１つのサブユニットを有し、前記結合の各々はすべての通信波長を通過し、そして、前記接続の各々は前記トランシーバの対応する１つのために提供され、さらに、
前記接続の各々と対応する１つのトランシーバとの間にそれぞれ設けられたフィルタとを有し、前記フィルタのそれぞれは、制御ユニットにより選択可能な通信波長を通過させることを特徴とする請求項３記載の通信ネットワーク。
【請求項５】
前記トランシーバの少なくとも１つは１つのトランシーバからなり、前記相互接続ユニットは、前記少なくとも１つのトランシーバに対して、
前記ライトガイドの各々とそれぞれの選択可能な接続の組合せとの間の光トランスポートのための選択可能なアクティブな結合を行うように構成された１つのサブユニットを有し、前記結合の各々はすべての通信波長を通過し、そして、前記接続の各々は前記トランシーバの対応する１つのために提供され、さらに、
前記サブユニットの接続の１つに結合した多重化接続と、個々の通信波長に対する分離化接続とを有する波長多重化ユニットと、
それぞれの波長に対する光源と、
前記光源のそれぞれと前記分離化接続のぞれぞれとの間にそれぞれある光スイッチとを有し、前記光スイッチの各々は、前記少なくとも１つのトランシーバに対する波長の選択と、前記トランシーバによって前記アクセス端末に送られる情報とによって制御されることを特徴とする請求項３記載の通信ネットワーク。
【請求項６】
前記相互接続ユニットは、
前記ライトガイドのそれぞれに結合した多重化接続と、前記通信波長のそれぞれに対する分離化接続とをそれぞれ有する第１波長多重化ユニットと、
前記トランシーバのそれぞれに結合した多重化接続と、前記通信波長のそれぞれに対する分離化接続とをそれぞれ有する第２波長多重化ユニットと、
前記通信波長のそれぞれに対して前記第１及び第２多重化ユニットの分離化接続をそれぞれ結合する、複数のサブ相互接続ユニットとを有することを特徴とする請求項３記載の通信ネットワーク。
【請求項７】
前記トランシーバは、アクセス端末から受信される情報をトランスポートネットワークのみにトランスポートするように構成され、前記通信ネットワークは、
トランスポートネットワークからの情報をアクセス端末のみに送信する、前記トランスポートネットワークに接続された更なるトランシーバと、
前記ライトガイドと前記更なるトランシーバとの間にある更なる相互接続ユニットとを有し、前記更なる相互接続ユニットは、前記トランシーバの各々から、選択可能なライトガイドそれぞれへの光トランスポートのための選択可能なアクティブな結合を行うように構成されることを特徴とする請求項３記載の通信ネットワーク。
【請求項８】
前記トランシーバから前記ライトガイドの組合せへのアクティブな結合は、選択可能なそれぞれの通信波長で行われることを特徴とする請求項７記載の通信ネットワーク。
【発明の詳細な説明】
【０００１】
【発明の属する技術分野】
本発明は、通信ネットワークに関し、特に、トランスポートネットワークとアクセス端末の間の接続に関する。
【０００２】
【従来の技術】
欧州特許出願第１０６１７６４号（ＥＰ１０６１７６４）には、受動光ネットワークを用いてトランスポートネットワーク（例えば電話トランスポートネットワーク）をアクセス端末（例えばエンドユーザ端末）に接続する通信ネットワークが記載されている。受動光ネットワークは、Ｎ本の光ファイバの束を有する。これらのファイバのそれぞれが、複数のアクセス端末に接続される。それぞれの単一の光ファイバは、複数Ｍ個の異なる通信波長の光を伝送することができる。このネットワークは、各ファイバにおいてＭ個の波長で情報を伝送することが可能である。受動光ネットワークが使用されるため、情報は、Ｎ個の光ファイバを通じて端末との間でトランスポート可能である。
【０００３】
ＥＰ１０６１７６４のネットワークは、光ファイバおよび光波長を用いた統計多重化を使用して、比較的低コストで大きい情報トランスポート容量を提供する。統計多重化は、アクセス端末に特徴的なアクティビティパターンに基づく。これらの端末は、間欠的にアクティブなだけであり、結果として、平均的には、低いトランスポート容量しか必要としない。しかし、アクティブになると、アクセス端末は、平均容量よりずっと大きい最大トランスポート容量を必要とすることもある。このため、端末間で複数のファイバおよび波長を使用して、必要なときにだけファイバおよび波長を特定のアクセス端末に割り当てることが可能となる。このため、個々の端末がときには最大容量を使用することがあっても、アクセス端末あたりの最大容量とアクセス端末数との積よりもずっと小さい容量しか必要とされない。
【０００４】
【発明が解決しようとする課題】
ＥＰ１０６１７６４では、トランスポート時間および波長への端末の割当てについては詳細に議論されているが、異なる波長の光が異なるファイバに光学的に提供される方法については記載されていない。これを行うための明らかな方法としては、Ｎ本の光ファイバのそれぞれについて、Ｍ個の異なる波長に対してＭ個の光源、光変調器および光復調器のセットを提供することであろうが、このような解決法は、Ｎ×Ｍ個、すなわち多数の光源、光変調器および光復調器を必要とするため、高価である。
【０００５】
【課題を解決するための手段】
本発明の目的は、とりわけ、アクセス端末との間での光変調情報のトランスポートを多重化するのに必要とされるコンポーネント数を低減することである。
【０００６】
本発明は、請求項１に記載されているように、複数のアクセス端末とトランスポートネットワークとの間での情報トランスポートを多重化する方法を提供する。異なるアクセス端末について（すなわち、異なるアクセス端末との間で）の情報伝送光は、Ｎ本のライトガイド（例えば、光ファイバ）を通じてトランスポートされ、Ｌ個のトランシーバによってトランスポートネットワークとの間でやりとりされる。複数のアクセス端末からなるグループに対する情報は、タイムスロット多重化および波長多重化によって、同じファイバ上で多重化される。各トランシーバは、選択可能な通信波長からの情報をやりとりする。
【０００７】
本発明によれば、トランシーバの使用は、複数のライトガイド間で多重化される。情報トランスポートに対する需要に応じて、異なるトランシーバが、あるときには同じファイバに対する相異なる通信波長の情報をやりとりし、またあるときには相異なるファイバについて同じ波長（または相異なる波長）の情報をやりとりする。他のときにはこれらの極端な場合の中間が起こることもある。こうして、アクセス端末からトランスポートネットワークに情報を渡すために必要とされるトランシーバの数を低減することができる。好ましくは、トランシーバ数Ｌは、ライトガイド数Ｎより小さい。いずれにしても、トランシーバ数Ｌは、使用される通信波長数Ｍとライトガイド数Ｎとの積より相当に小さくすることができる。
【０００８】
実施例では、ライトガイドとトランシーバの間の接続は、波長独立クロスコネクトユニットと、クロスコネクトユニットとトランシーバの間で選択可能な波長を通すフィルタとによって実現される。こうして、多重化は、比較的少数のコンポーネントで実現することができる。
【０００９】
別の実施例では、ライトガイドとトランシーバの間の接続は、それぞれ通信波長のうちの１つについての相互接続を実行する複数のクロスコネクトユニットと、相異なるクロスコネクトユニット用にライトガイドからの光を分離する波長スプリッタと、相異なるクロスコネクトユニットからの光を併合する波長コンバイナとのセットによって実現される。
【００１０】
好ましくは、情報を「アップストリーム（上流）」へ、すなわち、アクセス端末からネットワークへ送る受信機と、情報を「ダウンストリーム（下流）」へ、すなわち、トランスポートネットワークからアクセス端末へ送る送信機との両方の使用が、Ｎ本のライトガイドおよびＭ個の波長にわたり多重化される。この目的のために、アップストリームとダウンストリームの情報トランスポート用に相異なるクロスコネクトが存在するように、もう１つのクロスコネクトユニットを備えることも可能である。
【００１１】
別法として、アップストリーム情報に用いられるクロスコネクトユニットを「ダウンストリーム」通信にも使用することが可能である。しかし、これは、２つのクロスコネクトユニット（一方はアップストリームトラフィック用、一方はダウンストリームトラフィック用）を用いた全二重と比べて、トランスポート容量が半二重に低下することがある。
【００１２】
【発明の実施の形態】
図１に通信ネットワークを示す。ネットワークは、トランスポートネットワーク１０、加入者交換機(local exchange)１２、受動光ネットワーク１４および光ネットワークユニット１８（明確さのために１つだけに番号を明示的に付してあるが、他の光ネットワークユニットも図示されている。複数の同等の要素のうちの１つのみに番号を付すという同様の約束は、図中の他の要素についても当てはまる）の複数のグループ１６を含む。加入者交換機１２は、光回線終端装置１２０、複数のトランシーバ（送信機もしくは受信機またはその両方）１２２、光クロスコネクト１２４および制御ユニット１２６を含む。受動光ネットワーク１４は、光ファイバ１４０ａ〜ｃ、波長マルチプレクサ／デマルチプレクサ１４２ａ〜ｃ、スプリッタ／コンバイナ１４４を含む。例として３個のトランシーバ１２２が図示されているが、２個のトランシーバ、または、多数のトランシーバを使用することももちろん可能である。同じことは、必要な変更を加えて、ファイバ１４０ａ〜ｃの数、マルチプレクサ／デマルチプレクサ１４２ａ〜ｃの数、スプリッタ／コンバイナ１４４の数、グループ１６の数、光ネットワークユニット１８の数などについても当てはまる。トランシーバ１２２は、トランスポートネットワーク１０から光ネットワークユニット１８へ「ダウンストリーム」方向に情報を送る送信機であることも、光ネットワークユニット１８からトランスポートネットワーク１０へ「アップストリーム」方向に情報を送る受信機であることも可能である。
【００１３】
「ダウンストリーム」方向での動作において、トランスポートネットワーク１０からの情報は、光回線終端装置１２０によって受信され、送信機１２２に送られる。送信機１２２は、情報がその上に変調された光を生成する。光クロスコネクト１２４は、この光を、ファイバ１４０ａ〜ｃのうちの選択されたファイバに送る。制御ユニット１２６は、光がどの送信機１２２からどのファイバ１４０ａ〜ｃに送られるかを決定するように、光クロスコネクト１２４を制御する。各ファイバ１４０ａ〜ｃは、１つのマルチプレクサ／デマルチプレクサ１４２ａ〜ｃと、スプリッタ／コンバイナ１４４の１つのグループに対応し、これらを通じて、光ネットワークユニット１８の１つのグループ１６ａ〜ｃにサービスする。ファイバ１４０ａ〜ｃは、光を自己のマルチプレクサ／デマルチプレクサ１４２ａ〜ｃに送る。マルチプレクサ／デマルチプレクサ１４２ａ〜ｃは、光を、それぞれ異なる波長範囲内の相異なる波長成分に分離する。２つの波長成分の出力が例として図示されているが、もちろん、より大きい数を使用するのが好ましい。マルチプレクサ／デマルチプレクサ１４２ａ〜ｃは、各波長成分をそれぞれのスプリッタ／コンバイナ１４４に送り、スプリッタ／コンバイナ１４４は、その成分の光を、関連するグループ１６ａ〜ｃの光ネットワークユニット１８に分配する。
【００１４】
逆に、「アップストリーム」方向では、各スプリッタ／コンバイナ１４４は、相異なる光ネットワークユニット１８からの情報を伝送する光を結合し（足し合わせ）、結合光をマルチプレクサ／デマルチプレクサ１４２ａ〜ｃに送る。マルチプレクサ／デマルチプレクサ１４２ａ〜ｃは、複数のスプリッタ／コンバイナ１４４からなる１つのグループからの光を多重化し、グループ内の各スプリッタ／コンバイナは、結合信号中の相異なる波長を分配する。ファイバ１４０ａ〜ｃは、多重化光を光クロスコネクト１２４に送る。光クロスコネクトユニットは、光を受信機１２２に送り、受信機１２２は、情報を呼び出して、それを、光回線終端装置１２０を通じてトランスポートネットワークに送る。制御ユニット１２６は、光がどのファイバ１４０ａ〜ｃからどのトランシーバ１２２へ送られるかを決定するように、光クロスコネクトを制御する。
【００１５】
光クロスコネクト１２４は、複数のファイバ１４０ａ〜ｃからの複数の波長の光の受信、もしくは、ファイバ１４０ａ〜ｃへの複数の波長の光の送信、またはその両方のために、トランシーバ１２２の使用を多重化するように作用する。これは、制御ユニット１２６によって制御される。制御ユニットは、光ネットワークユニット１８の通信の要求に基づいて、トランシーバ１２２が使用される波長およびファイバ１４０ａ〜ｃを選択する。
【００１６】
同じ１つのグループ１６ａ〜ｃ内の多数の光ネットワークユニット１８が同時に通信容量を要求する場合、制御ユニット１２６は、トランシーバ１２２が同じファイバ１４０ａ〜ｃに相異なる波長で接続されて、同じグループ１６ａ〜ｃの複数の光ネットワークユニット１８に同時にサービスするように、光クロスコネクト１２４を切り替える。光ネットワークユニット１８について要求される通信容量がグループ１６ａ〜ｃにわたって一様に分布するとき、トランシーバは、相異なるファイバ１４０ａ〜ｃに接続され、サービスを要求する光ネットワークユニット１８によって要求されるように、選択された波長（同じことも異なることもある）で動作する。こうして、光ネットワークユニット１８との間の通信は、複数のタイムスロットおよび波長にわたり多重化される。トランシーバをファイバ１４０ａ〜ｃおよび複数の波長に割り当てるためには、統計多重化のための任意の既知の割当て方式が使用可能である。多重化方式は、ダウンストリーム通信もしくはアップストリーム通信または両者の組合せのいずれにも適用可能である。
【００１７】
図２に、図１によるネットワークで、「アップストリーム」または「ダウンストリーム」のいずれかの方向で用いられる光クロスコネクト１２４を示す。クロスコネクト１２４は、トランシーバのための入出力２０ａ、ｂ（例として、２個の出力のみが図示されている）、第１および第２のマルチプレクサ／デマルチプレクサ２２ａ〜ｂ、２６ａ〜ｃ、ならびに、サブクロスコネクトユニット２４ａ〜ｃを含む。入出力２０ａ、ｂは、第１マルチプレクサ／デマルチプレクサ２２ａ〜ｂのそれぞれの多重化入出力を形成する。それぞれの第１マルチプレクサ／デマルチプレクサ２２ａ〜ｂは、それぞれ相異なる波長範囲に対する（この範囲は１つの通信波長に対応する）複数の分離化入出力を有する。同様に、第２マルチプレクサ／デマルチプレクサ２６ａ〜ｃのそれぞれの多重化入出力は、ファイバ１４０ａ〜ｃのそれぞれに接続され、第２マルチプレクサ／デマルチプレクサ２６ａ〜ｃは、それぞれ相異なる波長範囲に対する複数の分離化入出力を有する。それぞれのサブクロスコネクトユニット２４ａ〜ｃは、それぞれの波長範囲について、第１および第２のマルチプレクサ／デマルチプレクサ２２ａ〜ｂ、２６ａ〜ｃからの分離化入出力を相互接続する。理解されるべき点であるが、任意の個数の出力２０ａ、ｂ、マルチプレクサ／デマルチプレクサ２２ａ〜ｂ、２６ａ〜ｃ、クロスコネクトユニット２４ａ〜ｃが使用可能である。
【００１８】
図３に、サブクロスコネクトユニット２４の実施例を示す。サブクロスコネクトユニット２４は、第１および第２のスプリッタ／コンバイナ２４０、２４４と、光スイッチ２４２（１つだけに明示的に番号を付す）とを含む。第１スプリッタ／コンバイナ２４０は、第１マルチプレクサ／デマルチプレクサ２２ａ、ｂのそれぞれの分離化入出力への結合入出力を有する。第２スプリッタ／コンバイナ２４４は、第２マルチプレクサ／デマルチプレクサ２６ａ〜ｃのそれぞれの分離化入出力への結合入出力を有する。光スイッチ２４２はそれぞれ、第１スプリッタ／コンバイナ２４０の分離入出力を、第２スプリッタ／コンバイナの分離入出力と相互接続する。光スイッチは、制御ユニット１２６（図示せず）の制御下で動作する。明らかなように、異なる個数の入出力およびスイッチトともに異なる個数のスプリッタ／コンバイナを使用することによって、異なる個数の接続を有するクロスコネクトユニットを実現することができる。
【００１９】
動作において、各光スイッチ２４２は、１つのトランシーバ１２２および１つの光ファイバ１４０ａ〜ｃから１つの波長範囲の光を受信する。光スイッチ２４２は、制御ユニット１２６の制御下でこの光を選択的に通過させ、または阻止する。
【００２０】
図４に、図１によるネットワークで用いられる別の光クロスコネクト１２４を示す。光クロスコネクト１２４は、相異なるトランシーバ１２２のためのトランシーバ入出力３０ａ、ｂと、フィルタ３２ａ、ｂと、サブクロスコネクトユニット３４とを有する。サブクロスコネクトユニット３４は、図３のサブクロスコネクトユニット２４と同様の構造のものである。サブクロスコネクトユニット３４は、ファイバ１４０ａ〜ｃに接続された第１入出力と、トランシーバ入出力３０ａ〜ｃのそれぞれにフィルタ３２ａ、ｂのそれぞれを通じて接続された第２入出力とを有する。各フィルタは、第１および第２のマルチプレクサ／デマルチプレクサ３２０、３２４と、光スイッチ３２２とを有する。トランシーバ１２２のための入出力３０ａ、ｂは、第１マルチプレクサ／デマルチプレクサ３２０の多重化入出力を形成する。第１マルチプレクサ／デマルチプレクサ３２０は、それぞれ相異なる波長範囲に対する（この範囲は１つの通信波長に対応する）複数の分離化入出力を有する。第２マルチプレクサ／デマルチプレクサ３２４は、それぞれ相異なる波長範囲に対する複数の分離化入出力を有し、それぞれの分離化入出力は、対応する光スイッチ３２２を通じて、第１マルチプレクサ／デマルチプレクサ３２０の対応する分離化入出力に接続される。第２マルチプレクサ／デマルチプレクサ３２４の多重化入出力は、サブクロスコネクトユニット３４の対応する入出力に接続される。光スイッチ３２２は、制御ユニット１２６（図示せず）の制御下で動作する。
【００２１】
動作において、サブクロスコネクトユニット３４は、制御ユニット１２６による選択の下で、選択されたファイバからの光を選択されたトランシーバ１２２に送る。フィルタ３２は、選択された波長のみがトランシーバ１２２との間でやりとりされることを保証する。図２の光クロスコネクトと比べて、相当少ない光スイッチしか必要とされない。
【００２２】
統計多重化がアップストリーム通信に適用される場合、サブクロスコネクトユニット３４は、ファイバ１４０ａ〜ｃからのすべての波長の光を、選択されたフィルタ３２に送る。単一のファイバ１４０ａ〜ｃの光は、同じグループ１６ａ〜ｃ内の相異なる光ネットワークユニット１８からの情報を伝送する複数の波長を含むことがある。この場合、制御ユニット１２６は、このファイバ１４０ａ〜ｃからの光が複数のフィルタ３２に送られるように、サブクロスコネクトユニット３４内の光スイッチを制御することになる。制御ユニット１２６は、相異なる波長の光成分が異なる受信機１２２に送られるように各フィルタを制御する。受信機１２２は波長固有でない。すなわち、受信機１２２は、どの波長の光からも情報を復号することができる。そこで、制御ユニット１２６は、どのファイバ１４０ａ〜ｃからのどの波長が各受信機１２２で復号されるかを制御する。
【００２３】
同様に、ダウンストリーム通信の場合において、図２のクロスコネクトが使用される場合、制御ユニット１２６は、送信機１２２からのどの波長がファイバ１４０ａ〜ｃに送られるかを決定するようにクロスコネクトユニット２４内の光スイッチを制御し、送信機１２２も波長固有でない。
【００２４】
統計多重化がダウンストリーム通信に適用される場合、すべての利用可能な波長の光を変調する送信機１２２が使用されることが可能である。この場合、すべての波長に対して単一の変調器があればよい。変調された光は、フィルタ３２を通じてサブクロスコネクトユニット３４へ送信される。フィルタ３２は、１つの波長を選択し、この波長の光を、サブクロスコネクトユニットを通じて、選択されたファイバ１４０ａ〜ｃに送る。同様の効果は、図２のクロスコネクト１２４でも達成される。
【００２５】
図５に、組み合わされた変調器／フィルタ４１を示す。変調器／フィルタ４１では、別法として、フィルタ３２とトランシーバ１２２の変調器の機能がダウンストリームの場合に組み合わされることが可能である。変調器／フィルタは、相異なる波長に対する複数の単一波長光源４０ａ〜ｃと、複数の光変調器４２ａ〜ｃと、マルチプレクサ４４とを含む。各光源４０ａ〜ｃは、対応する光変調器４２ａ〜ｃを通じて、マルチプレクサ４４の対応する分離化入力に接続される。マルチプレクサ４４の多重化出力は、例えば図３のサブクロスコネクトユニットのうちの１つとして実現されるサブクロスコネクトユニット４６を介してファイバ１４０ａ〜ｃに接続されることも可能である。動作において、選択された変調器４２ａ〜ｃが、制御ユニット１２６の制御下でイネーブルされ、トランスポートネットワーク１０からの情報が、イネーブルされた変調器４２ａ〜ｃによる変調を制御するために使用される。こうして、変調器／フィルタは、単一波長の変調光を生成する。光源４０ａ〜ｃは、複数のトランシーバによって共用されることも可能である。こうして、光源に対して最小限のコストしか要求されない。
【００２６】
原理的には、アップストリームおよびダウンストリームの両方のトラフィックを、必要であれば同時に、扱うことができるトランシーバ１２２が使用可能である。この場合、図２および図４の光クロスコネクトは、アップストリームおよびダウンストリームのトラフィックに対する選択を同時に行うことになる。しかし、これは、伝送容量を全二重から半二重に低下させることがある。ある実施例では、クロスコネクト１４６が図２またはず４に示されるような２つの構成を並列に含み、一方がダウンストリーム通信の多重化を行い、一方がアップストリーム通信の多重化を行う。
【００２７】
【発明の効果】
以上述べたごとく、本発明によれば、トランシーバの使用は、複数のライトガイド間で多重化され、アクセス端末からトランスポートネットワークに情報を渡すために必要とされるトランシーバの数を低減することができる。
【００２８】
以上の説明は、本発明の一実施例に関するもので、この技術分野の当業者であれば、本発明の種々の変形例を考え得るが、それらはいずれも本発明の技術的範囲に包含される。尚、特許請求の範囲に記載した参照番号がある場合は、発明の容易な理解のためで、その技術的範囲を制限するよう解釈されるべきではない。
【図面の簡単な説明】
【図１】通信ネットワークを示す図である。
【図２】光クロスコネクトを示す図である。
【図３】クロスコネクトユニットを示す図である。
【図４】別の光クロスコネクトを示す図である。
【図５】変調器フィルタを示す図である。
【符号の説明】
１０  トランスポートネットワーク
１２  加入者交換機
１２０  光回線終端装置
１２２  トランシーバ（送信機／受信機）
１２４  光クロスコネクト
１２６  制御ユニット
１４  受動光ネットワーク
１４０  光ファイバ
１４２  波長マルチプレクサ／デマルチプレクサ
１４４  スプリッタ／コンバイナ
１６  グループ
１８  光ネットワークユニット
２０  入出力
２２  第１マルチプレクサ／デマルチプレクサ
２４  サブクロスコネクトユニット
２４０  第１スプリッタ／コンバイナ
２４２  光スイッチ
２４４  第２スプリッタ／コンバイナ
２６  第２マルチプレクサ／デマルチプレクサ
３０  トランシーバ入出力
３２  フィルタ
３２０  第１マルチプレクサ／デマルチプレクサ
３２２  光スイッチ
３２４  第２マルチプレクサ／デマルチプレクサ
３４  サブクロスコネクトユニット
４０  単一波長光源
４１  変調器／フィルタ
４２  光変調器
４４  マルチプレクサ
４６  サブクロスコネクトユニット
【図１】
0004176382.tif 000002
【図２】
0004176382.tif 000003
【図３】
0004176382.tif 000004
【図４】
0004176382.tif 000005
【図５】
0004176382.tif 000006